(57)【要約】【課題】  ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにして、光ピックアップをＤＶＤ−ＲＡＭのデータ記録エリアの次のゾーンの先頭トラックに移動させることができるようにする。【解決手段】  ＤＶＤ−ＲＡＭディスクに記録された情報データの再生中に、ＤＶＤ−ＲＡＭディスクのデータ記録エリアの次のゾーンに記録された情報データの再生に切り替えるとき、光ピックアップをＤＶＤ−ＲＡＭディスクのデータ記録エリアの次のゾーンの先頭トラックより所定トラック先のトラックに移動させた後、光ピックアップをＤＶＤ−ＲＡＭディスクのデータ記録エリアの次のゾーンの先頭トラックに移動させるようにする。【選択図】        図２
2007200399.tif 000002
【特許請求の範囲】
【請求項１】
ＤＶＤ−ＲＡＭディスクに情報データを記録再生するディスク装置であって、
ＤＶＤ−ＲＡＭディスクに記録された情報データの再生中に、ＤＶＤ−ＲＡＭディスクのデータ記録エリアの次のゾーンに記録された情報データの再生に切り替えるとき、マルチトラックジャンプを実行して光ピックアップをＤＶＤ−ＲＡＭディスクのデータ記録エリアの次のゾーンの先頭トラックより所定トラック先のトラックに移動させる第１の移動手段と、光ピックアップがＤＶＤ−ＲＡＭディスクのデータ記録エリアの次のゾーンの先頭トラックより所定トラック先のトラックに移動したとき、ワントラックジャンプを繰り返して光ピックアップをＤＶＤ−ＲＡＭディスクのデータ記録エリアの次のゾーンの先頭トラックに移動させる第２の移動手段と、光ピックアップがＤＶＤ−ＲＡＭディスクのデータ記録エリアの次のゾーンの先頭トラックに移動したとき、ＤＶＤ−ＲＡＭディスクの次のゾーンに記録された情報データを先頭トラックから再生する再生手段とを備えたことを特徴とするディスク装置。
【請求項２】
ＤＶＤ−ＲＡＭディスクに情報データを記録再生するディスク装置であって、
ＤＶＤ−ＲＡＭディスクに記録された情報データの再生中に、ＤＶＤ−ＲＡＭディスクのデータ記録エリアの次のゾーンに記録された情報データの再生に切り替えるとき、光ピックアップをＤＶＤ−ＲＡＭディスクのデータ記録エリアの次のゾーンの先頭トラックより所定トラック先のトラックに移動させる第１の移動手段と、光ピックアップがＤＶＤ−ＲＡＭディスクのデータ記録エリアの次のゾーンの先頭トラックより所定トラック先のトラックに移動したとき、光ピックアップをＤＶＤ−ＲＡＭディスクのデータ記録エリアの次のゾーンの先頭トラックに移動させる第２の移動手段と、光ピックアップがＤＶＤ−ＲＡＭディスクのデータ記録エリアの次のゾーンの先頭トラックに移動したとき、ＤＶＤ−ＲＡＭディスクの次のゾーンに記録された情報データを先頭トラックから再生する再生手段とを備えたことを特徴とするディスク装置。
【請求項３】
前記第１の移動手段は、マルチトラックジャンプを実行して光ピックアップをＤＶＤ−ＲＡＭディスクのデータ記録エリアの次のゾーンの先頭トラックより所定トラック先のトラックに移動させる移動手段であることを特徴とする請求項２記載のディスク装置。
【請求項４】
前記第２の移動手段は、ワントラックジャンプを繰り返して光ピックアップをＤＶＤ−ＲＡＭディスクのデータ記録エリアの次のゾーンの先頭トラックに移動させる移動手段であることを特徴とする請求項２記載のディスク装置。
【請求項５】
ＤＶＤ−ＲＡＭディスクに情報データを記録再生するディスク装置の制御方法であって、
ＤＶＤ−ＲＡＭディスクに記録された情報データの再生中に、ＤＶＤ−ＲＡＭディスクのデータ記録エリアの次のゾーンに記録された情報データの再生に切り替えるとき、マルチトラックジャンプを実行して光ピックアップをＤＶＤ−ＲＡＭディスクのデータ記録エリアの次のゾーンの先頭トラックより所定トラック先のトラックに移動させるステップと、光ピックアップがＤＶＤ−ＲＡＭディスクのデータ記録エリアの次のゾーンの先頭トラックより所定トラック先のトラックに移動したとき、ワントラックジャンプを繰り返して光ピックアップをＤＶＤ−ＲＡＭディスクのデータ記録エリアの次のゾーンの先頭トラックに移動させるステップと、光ピックアップがＤＶＤ−ＲＡＭディスクのデータ記録エリアの次のゾーンの先頭トラックに移動したとき、ＤＶＤ−ＲＡＭディスクのデータ記録エリアの次のゾーンに記録された情報データを先頭トラックから再生するステップとを備えたことを特徴とするディスク装置の制御方法。
【発明の詳細な説明】
【技術分野】
【０００１】
本発明は、ＤＶＤ−ＲＡＭ（Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ）ディスクに情報データを記録再生するディスク装置及びその制御方法に係り、特にＤＶＤ−ＲＡＭディスクの再生中のゾーン切り替わり時に、トラック外れによる画止まりの発生を抑制することができるディスク装置及びその制御方法に関する。
【背景技術】
【０００２】
一般に、ＤＶＤ−ＲＡＭディスクは相変化型記録材料で形成されていて、ＤＶＤ−ＲＡＭディスクのデータ記録エリアには、図４に示すように、情報データを記録する複数のセクタからなる複数のトラックの複数のゾーンが設けられ、情報データの記録時に、記録ゾーンに隣接するゾーンに記録された情報データの劣化を保護するための数トラック分の未記録エリアのガードエリアがゾーン間に設けられている。しかし、ＤＶＤ−ＲＡＭディスクに記録された情報データの再生時、光ピックアップを次のゾーンに移動させるときに、図５に示すように、ワントラックジャンプを繰り返して光ピックアップを次のゾーンに移動させると、光ピックアップがＤＶＤ−ＲＡＭディスクの未記録エリア内でワントラックジャンプを繰り返すことになるため、光ピックアップがＤＶＤ−ＲＡＭディスクの未記録エリアのガードエリアに長時間入っていると、ゾーンセットが正常に動作しなくなり、セクタの同期が取れなくなって、トラック外れとなって画止りが発生し、ＤＶＤ−ＲＡＭディスクのデータ記録エリアの次のゾーンに記録された情報データの再生ができなくなるという問題点があった。
背景技術としては、トラックジャンプとデータの読み出しを間欠的に繰り返して光磁気ディスクを高速再生する際に、トラックジャンプ終了後のアドレスがサブデータ部になると予測される場合、トラックジャンプのジャンプトラック数を変化させるか、または、トラックジャンプ前のデータ読み出し長を変化させるか、または、データ読み出し後にトラックジャンプ開始まで所定時間待機するようにしたものがあった（例えば、特許文献１参照）。
また、トラックジャンプを実行させる際に、ジャンプ位置を算出してその位置がジャンプ位置に適しているか否かを判断し、算出されたジャンプ位置がリンキング部である場合や交換処理されたセクタなどのデータが記録されていない部分である場合、それらの部分を避けてトラックジャンプするように、トラックジャンプ開始タイミングを制御するようにしたものがあった（例えば、特許文献２参照）。
【特許文献１】特開２０００−６７４３８号公報
【特許文献２】特開２００１−３４９６１号公報
【発明の開示】
【発明が解決しようとする課題】
【０００３】
しかしながら、背景技術で述べたもののうち前者においては、トラックジャンプとデータの読み出しを間欠的に繰り返して光磁気ディスクを高速再生する際に、トラックジャンプ終了後のアドレスがサブデータ部になると予測される場合、トラックジャンプのジャンプトラック数を変化させるか、または、トラックジャンプ前のデータ読み出し長を変化させるか、または、データ読み出し後にトラックジャンプ開始まで所定時間待機することができたが、光磁気ディスクの再生中に、光ピックアップのジャンプ先がサブデータ部を避けて、光ピックアップをメインデータエリアにジャンプさせるようにしていたため、光ピックアップのジャンプ先が僅かにずれるとサブデータ部に入ってしまうという問題点があった。
また、後者においては、トラックジャンプを実行させる際に、ジャンプ位置を算出してその位置がジャンプ位置に適しているか否かを判断し、算出されたジャンプ位置がリンキング部である場合や交換処理されたセクタなどのデータが記録されていない部分である場合、それらの部分を避けてトラックジャンプするように、トラックジャンプ開始タイミングを制御することができたが、光磁気ディスクの再生中に、光ピックアップのジャンプ先がリンキング部やデータが記録されていない部分を避けて、光ピックアップをトラックジャンプさせるようにしていたため、上記同様、光ピックアップのジャンプ先が僅かにずれるとリンキング部やデータが記録されていない部分に入ってしまうという問題点があった。
本発明は、背景技術の有するこのような問題点に鑑みてなされたものであり、その目的とするところは、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにして、光ピックアップをＤＶＤ−ＲＡＭのデータ記録エリアの次のゾーンの先頭トラックに移動させることができるディスク装置を提供しようとするものである。
【課題を解決するための手段】
【０００４】
上記目的を達成するため本発明においては、ＤＶＤ−ＲＡＭディスクに情報データを記録再生するディスク装置であって、ＤＶＤ−ＲＡＭディスクに記録された情報データの再生中に、ＤＶＤ−ＲＡＭディスクのデータ記録エリアの次のゾーンに記録された情報データの再生に切り替えるとき、光ピックアップをＤＶＤ−ＲＡＭディスクのデータ記録エリアの次のゾーンの先頭トラックより所定トラック先のトラックに移動させる第１の移動手段と、光ピックアップがＤＶＤ−ＲＡＭディスクのデータ記録エリアの次のゾーンの先頭トラックより所定トラック先のトラックに移動したとき、光ピックアップをＤＶＤ−ＲＡＭディスクのデータ記録エリアの次のゾーンの先頭トラックに移動させる第２の移動手段と、光ピックアップがＤＶＤ−ＲＡＭディスクのデータ記録エリアの次のゾーンの先頭トラックに移動したとき、ＤＶＤ−ＲＡＭディスクの次のゾーンに記録された情報データを先頭トラックから再生する再生手段とを備える。
前記第１の移動手段は、マルチトラックジャンプを実行して光ピックアップをＤＶＤ−ＲＡＭディスクのデータ記録エリアの次のゾーンの先頭トラックより所定トラック先のトラックに移動させるようにするとよい。
前記第２の移動手段は、ワントラックジャンプを繰り返して光ピックアップをＤＶＤ−ＲＡＭディスクのデータ記録エリアの次のゾーンの先頭トラックに移動させるようにするとよい。
これらの手段により、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにして、光ピックアップをＤＶＤ−ＲＡＭのデータ記録エリアの次のゾーンの先頭トラックに移動させることができる。
【発明の効果】
【０００５】
請求項１記載の発明に係るディスク装置によれば、ＤＶＤ−ＲＡＭディスクに記録された情報データの再生中に、ＤＶＤ−ＲＡＭディスクのデータ記録エリアの次のゾーンに記録された情報データの再生に切り替えるとき、マルチトラックジャンプを実行して光ピックアップをＤＶＤ−ＲＡＭディスクのデータ記録エリアの次のゾーンの先頭トラックより所定トラック先のトラックに移動させ、光ピックアップがＤＶＤ−ＲＡＭディスクのデータ記録エリアの次のゾーンの先頭トラックより所定トラック先のトラックに移動したとき、ワントラックジャンプを繰り返して光ピックアップをＤＶＤ−ＲＡＭディスクのデータ記録エリアの次のゾーンの先頭トラックに移動させて、光ピックアップがＤＶＤ−ＲＡＭディスクのデータ記録エリアの次のゾーンの先頭トラックに移動したとき、ＤＶＤ−ＲＡＭディスクの次のゾーンに記録された情報データを先頭トラックから再生するようにしているので、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにして、光ピックアップをＤＶＤ−ＲＡＭディスクのデータ記録エリアの次のゾーンの先頭トラックに移動させて、ＤＶＤ−ＲＡＭディスクの次のゾーンに記録された情報データを先頭トラックから再生することができる。
請求項２記載の発明に係るディスク装置によれば、ＤＶＤ−ＲＡＭディスクに記録された情報データの再生中に、ＤＶＤ−ＲＡＭディスクのデータ記録エリアの次のゾーンに記録された情報データの再生に切り替えるとき、光ピックアップをＤＶＤ−ＲＡＭディスクのデータ記録エリアの次のゾーンの先頭トラックより所定トラック先のトラックに移動させ、光ピックアップがＤＶＤ−ＲＡＭディスクのデータ記録エリアの次のゾーンの先頭トラックより所定トラック先のトラックに移動したとき、光ピックアップをＤＶＤ−ＲＡＭディスクのデータ記録エリアの次のゾーンの先頭トラックに移動させて、光ピックアップがＤＶＤ−ＲＡＭディスクのデータ記録エリアの次のゾーンの先頭トラックに移動したとき、ＤＶＤ−ＲＡＭディスクの次のゾーンに記録された情報データを先頭トラックから再生するようにしているので、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにして、光ピックアップをＤＶＤ−ＲＡＭディスクのデータ記録エリアの次のゾーンの先頭トラックに移動させて、ＤＶＤ−ＲＡＭディスクの次のゾーンに記録された情報データを先頭トラックから再生することができる。
請求項３記載の発明に係るディスク装置によれば、マルチトラックジャンプを実行して光ピックアップをＤＶＤ−ＲＡＭディスクのデータ記録エリアの次のゾーンの先頭トラックより所定トラック先のトラックに移動させるようにしているので、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにすることができる。
請求項４記載の発明に係るディスク装置によれば、ワントラックジャンプを繰り返して光ピックアップをＤＶＤ−ＲＡＭディスクのデータ記録エリアの次のゾーンの先頭トラックに移動させるようにしているので、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないように、光ピックアップをＤＶＤ−ＲＡＭディスクのデータ記録エリアの次のゾーンの先頭トラックに移動させることができる。
請求項５記載の発明に係るディスク装置の制御方法によれば、ＤＶＤ−ＲＡＭディスクに記録された情報データの再生中に、ＤＶＤ−ＲＡＭディスクのデータ記録エリアの次のゾーンに記録された情報データの再生に切り替えるとき、マルチトラックジャンプを実行して光ピックアップをＤＶＤ−ＲＡＭディスクのデータ記録エリアの次のゾーンの先頭トラックより所定トラック先のトラックに移動させ、光ピックアップがＤＶＤ−ＲＡＭディスクのデータ記録エリアの次のゾーンの先頭トラックより所定トラック先のトラックに移動したとき、ワントラックジャンプを繰り返して光ピックアップをＤＶＤ−ＲＡＭディスクのデータ記録エリアの次のゾーンの先頭トラックに移動させて、光ピックアップがＤＶＤ−ＲＡＭディスクのデータ記録エリアの次のゾーンの先頭トラックに移動したとき、ＤＶＤ−ＲＡＭディスクのデータ記録エリアの次のゾーンに記録された情報データを先頭トラックから再生するようにしているので、、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにして、光ピックアップをＤＶＤ−ＲＡＭディスクのデータ記録エリアの次のゾーンの先頭トラックに移動させて、ＤＶＤ−ＲＡＭディスクの次のゾーンに記録された情報データを先頭トラックから再生することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートであり、図４はＤＶＤ−ＲＡＭディスクのゾーンとガードエリアとを示す模式図であり、図５は従来のディスク装置の動作を示す説明図である。
まず、図１の本発明の一実施例のディスク装置の構成を示すブロック図を基に説明する。
ディスク装置１は、ＤＶＤ−ＲＡＭディスク２にレーザ光を照射してその反射光を検出し、ＤＶＤ−ＲＡＭディスク２に記録されている情報データを読み出すとともに、ＤＶＤ−ＲＡＭディスク２にレーザ光を照射して情報データをＤＶＤ−ＲＡＭディスク２に記録する光ピックアップ３と、ＤＶＤ−ＲＡＭディスク２を回転させるスピンドルモータ４と、スピンドルモータ４の回転速度をサーボ制御するスピンドルサーボ回路５と、光ピックアップ３をＤＶＤ−ＲＡＭディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３によりＤＶＤ−ＲＡＭディスク２から読み出された情報データのＲＦ（Ｒａｄｉｏ  Ｆｒｅｑｕｅｎｃｙ）信号を増幅するとともに、ＤＶＤ−ＲＡＭディスク２に記録する情報データのＲＦ信号を増幅するＲＦ増幅回路１０と、ＲＦ増幅回路１０により増幅された情報データのＲＦ信号を基準クロックに基づいて同期検出して復調し、復調された情報データの誤りを訂正して、所定の圧縮方式に基づいて圧縮された情報データを伸張し、伸張された情報データを復号して情報データを再生するとともに、情報データを符号化して所定の圧縮方式に基づいて圧縮する信号処理回路１１と、ディスク装置１のシステム全体を制御するマイコン１２とで構成されている。
以上のように構成されたディスク装置について、以下その動作について説明する。
ＤＶＤ−ＲＡＭディスク２に記録された情報データの再生が指令されると、マイコン１２は、スピンドルサーボ回路５に制御信号を送出して、スピンドルモータ４を駆動してＤＶＤ−ＲＡＭディスク２を回転させ、スレッドサーボ回路７に制御信号を送出して、光ピックアップ３をＤＶＤ−ＲＡＭディスク２の半径方向にスレッド移動させ、トラッキングサーボ回路８とフォーカスサーボ回路９とに制御信号を送出して、光ピックアップ３のトラッキングとフォーカスとをサーボ制御して、光ピックアップ３によりＤＶＤ−ＲＡＭディスク２のデータ記録エリアの所定ゾーンに記録された情報データを読み出し、光ピックアップ３により読み出された情報データを信号処理回路１１により再生する。
ＤＶＤ−ＲＡＭディスク２に記録された情報データの再生中に、ＤＶＤ−ＲＡＭディスク２のデータ記録エリアの前のゾーン２ａに記録された情報データの再生が終了して、ＤＶＤ−ＲＡＭディスクのデータ記録エリアの次のゾーン２ｂに記録された情報データの再生に切り替えるとき（図４参照）、マイコン１２は、スレッドサーボ回路７に制御信号を送出して、ジャンプトラック数が数１０トラックのマルチトラックジャンプを実行して光ピックアップ３をＤＶＤ−ＲＡＭディスク２のデータ記録エリアの前のゾーン２ａと次のゾーン２ｂとの間の未記録エリアのガードエリア２ｃをジャンプさせ、光ピックアップ３をＤＶＤ−ＲＡＭディスク２のデータ記録エリアの次のゾーン２ｂの先頭トラックより所定トラック、例えば、１０トラック先のトラックに移動させる（図２、図４参照）。
光ピックアップ３がＤＶＤ−ＲＡＭディスク２のデータ記録エリアの次のゾーン２ｂの所定トラック先のトラックに移動すると、マイコン１２は、スレッドサーボ回路７に制御信号を送出して、ワントラックジャンプを繰り返して光ピックアップ３をＤＶＤ−ＲＡＭディスク２のデータ記録エリアの次のゾーン２ｂの先頭トラックに移動させ（図２、図４参照）、ＤＶＤ−ＲＡＭディスク２の次のゾーン２ｂに記録された情報データを先頭トラックから再生する。これにより、ＤＶＤ−ＲＡＭディスクの再生中のゾーン切り替え時に、光ピックアップがＤＶＤ−ＲＡＭのデータ記録エリアのゾーン間の未記録エリアのガードエリア内に入らないようにして、光ピックアップをＤＶＤ−ＲＡＭのデータ記録エリアの次のゾーンの先頭トラックに移動させてＤＶＤ−ＲＡＭディスクの次のゾーンに記録された情報データを先頭トラックから再生することができる。
また、図３の本発明の一実施例のディスク装置の動作を示すフローチャートを基に説明する。
ＤＶＤ−ＲＡＭディスクに記録された情報データの再生中に、ＤＶＤ−ＲＡＭディスクのデータ記録エリアの前のゾーンに記録された情報データの再生が終了して、ＤＶＤ−ＲＡＭディスクのデータ記録エリアの次のゾーンに記録された情報データの再生に切り替えるとき、ステップＳ１からステップＳ２に進み、ステップＳ２で、マルチトラックジャンプが実行されて光ピックアップがＤＶＤ−ＲＡＭディスクのデータ記録エリアの次のゾーンの先頭トラックより所定トラック先のトラックに移動され、ステップＳ３に進む。
ステップＳ３で、ワントラックジャンプが実行されて光ピックアップがＤＶＤ−ＲＡＭディスクのデータ記録エリアの次のゾーンの先頭トラックに移動され、ステップＳ４に進む。
ステップＳ４で、光ピックアップがＤＶＤ−ＲＡＭディスクのデータ記録エリアの次のゾーンの先頭トラックに移動したか否かが判断され、光ピックアップが次のゾーンの先頭トラックに移動した場合、ステップＳ５に進み、光ピックアップが次のゾーンの先頭トラックに移動していない場合、ステップＳ３に戻って、ステップＳ３からのステップを繰り返す。
ステップＳ５で、ＤＶＤ−ＲＡＭディスクのデータ記録エリアの次のゾーンに記録された情報データが先頭トラックから再生され、ステップＳ６に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【図４】ＤＶＤ−ＲＡＭディスクのゾーンとガードエリアとを示す模式図である。
【図５】従来のディスク装置の動作を示す説明図である。
【符号の説明】
【０００８】
１  ディスク装置
２  ＤＶＤ−ＲＡＭディスク
２ａ  前のゾーン
２ｂ  次のゾーン
２ｃ  ガードエリア
３  光ピックアップ
４  スピンドルモータ
５  スピンドルサーボ回路
６  トラッキングサーボ回路
７  スレッドサーボ回路
８  トラッキングサーボ回路
９  フォーカスサーボ回路
１０  ＲＦ増幅回路
１１  信号処理回路
１２  マイコン
【図１】
2007200399.tif 000003
【図２】
2007200399.tif 000004
【図３】
2007200399.tif 000005
【図４】
2007200399.tif 000006
【図５】
2007200399.tif 000007